(57)【要約】【課題】防水パッキンと筐体との間への異物の噛み込みを防止する技術を提供する。【解決手段】防水キャップ構造Eは、筐体２及び電気コネクタ用防水キャップ１２を備える。筐体２には、筐体２内に設けられた電気コネクタ８（電気端子）を露出させるための開口９が形成されている。電気コネクタ用防水キャップ１２（防水キャップ）は、開口９内に収容される被収容部１８と、被収容部１８の外周側に配置される鍔部１９と、を有する。電気コネクタ用防水キャップ１２の被収容部１８には、開口９の内周面９ａに対して密着する防水パッキン２１が設けられている。電気コネクタ用防水キャップ１２の鍔部１９には、環状に形成されたエラストマー部材２２が設けられている。エラストマー部材２２は、シリコーンエラストマー又はウレタンエラストマーである。【選択図】図７
2012252794.tif 000002
【特許請求の範囲】
【請求項１】
筐体及び防水キャップを備えた防水キャップ構造であって、
前記筐体には、前記筐体内に設けられた電気端子を露出させるための開口が形成されており、
前記防水キャップは、前記開口内に収容される被収容部と、前記被収容部の外周側に配置される鍔部と、を有し、
前記防水キャップの前記被収容部には、前記開口の内周面に対して密着する防水パッキンが設けられており、
前記防水キャップの前記鍔部には、環状に形成されたエラストマー部材が設けられており、
前記エラストマー部材は、シリコーンエラストマー又はウレタンエラストマーである、
防水キャップ構造。
【請求項２】
請求項１に記載の防水キャップ構造であって、
前記筐体には、前記開口の外周側で前記防水キャップの前記鍔部を受け止める受け面が形成されており、
前記エラストマー部材は、前記防水キャップの前記鍔部の、前記受け面に対向する面としての被受け面に設けられている、
防水キャップ構造。
【請求項３】
請求項２に記載の防水キャップ構造であって、
前記エラストマー部材は、前記防水キャップが前記筐体に取り付けられた防水状態で、前記受け面に対して環状に密着する、
防水キャップ構造。
【請求項４】
請求項１〜３の何れかに記載の防水キャップ構造であって、
前記防水パッキンと前記エラストマー部材は、同一素材である、
防水キャップ構造。
【請求項５】
請求項４に記載の防水キャップ構造であって、
前記防水パッキンと前記エラストマー部材は、一体成形されている、
防水キャップ構造。
【請求項６】
請求項５に記載の防水キャップ構造であって、
前記防水パッキンと前記エラストマー部材は、断面視でL字を成すように配置されている、
防水キャップ構造。
【請求項７】
請求項１〜６の何れかに記載の防水キャップ構造であって、
前記防水パッキンは、前記開口の内周面に対して環状に密着する、
防水キャップ構造。
【請求項８】
請求項１〜７の何れかに記載の防水キャップ構造を備えた携帯端末。
【発明の詳細な説明】
【技術分野】
【０００１】
本発明は、防水キャップ構造に関する。
【背景技術】
【０００２】
携帯電話機などの携帯型電子機器には、他の電子機器とケーブルを介して接続して通信を行うためのコネクタが設けられている。このようなコネクタは電子機器本体内部に設けられており、電子機器のケースに設けられた開口部を通してケーブルと接続できるようになっている。そして、ケーブルをコネクタに接続しないときには、コネクタカバーを前記開口部に填めるようにしている。図１３に示すように、携帯用電話機１００のケース１０１に設けられたコネクタ用の開口部１０２には、弾性部材で形成されたコネクタカバー１０３を嵌合するようになっており、これにより内部のコネクタを塵埃から保護するようになっている。さらに、図１４に示すように、開口部１０２に嵌合するコネクタカバー１０３の環状突起部１０４の外周には、防水リング１０５等の防水リングが設けられており、コネクタ１０６が水からも保護される。
【先行技術文献】
【特許文献】
【０００３】
【特許文献１】特開２００１−２５０６２９号公報
【発明の概要】
【発明が解決しようとする課題】
【０００４】
しかし、特許文献１の構成では、コネクタカバー１０３の開閉の際に、防水リング１０５とケース１０１との間に砂や塵などの異物が噛み込まれ、防水機能が十分に発揮されなくなる場合があった。
【０００５】
そこで、本願発明の目的は、防水パッキン（防水リング１０５に相当。）と筐体（ケース１０１に相当。）との間への異物の噛み込みを防止する技術を提供することにある。
【課題を解決するための手段】
【０００６】
本願発明の観点によれば、筐体及び防水キャップを備えた防水キャップ構造であって、前記筐体には、前記筐体内に設けられた電気端子を露出させるための開口が形成されており、前記防水キャップは、前記開口内に収容される被収容部と、前記被収容部の外周側に配置される鍔部と、を有し、前記防水キャップの前記被収容部には、前記開口の内周面に対して密着する防水パッキンが設けられており、前記防水キャップの前記鍔部には、環状に形成されたエラストマー部材が設けられており、前記エラストマー部材は、シリコーンエラストマー又はウレタンエラストマーである、防水キャップ構造が提供される。
【発明の効果】
【０００７】
本願発明によれば、異物が付着し難い性質を有するシリコーンエラストマー又はウレタンエラストマーから成る前記エラストマー部材が、前記防水パッキンを取り囲うように配置されているので、前記防水キャップを前記開口に対して着脱した際に、前記防水パッキンに対して前記異物が何らかの拍子で到達してしまうことを抑制することができる。
【図面の簡単な説明】
【０００８】
【図１】図１は、携帯電話機の斜視図である。（本実施形態）
【図２】図２は、図１のII-II線矢視断面図である。（本実施形態）
【図３】図３は、図２の要部拡大断面図である。（本実施形態）
【図４】図４は、筐体の断面図である。（本実施形態）
【図５】図５は、電気コネクタ用防水キャップの斜視図である。（本実施形態）
【図６】図６は、図５のVI-VI線矢視断面図である。（本実施形態）
【図７】図７は、砂や塵などの異物が付着した状態を示す図である。（本実施形態）
【図８】図８は、水洗い後の状態を示す図である。（本実施形態）
【図９】図９は、比較例であって、筐体から取り外した電気コネクタ用防水キャップの断面図である。
【図１０】図１０は、比較例であって、再度、電気コネクタ用防水キャップを筐体に取り付けた状態を示す断面図である。
【図１１】図１１は、筐体から取り外した電気コネクタ用防水キャップの断面図である。（本実施形態）
【図１２】図１２は、再度、電気コネクタ用防水キャップを筐体に取り付けた状態を示す断面図である。（本実施形態）
【図１３】図１３は、特許文献１の図６に相当する図である。
【図１４】図１４は、特許文献１の図７に相当する図である。
【発明を実施するための形態】
【０００９】
（ストレート型携帯電話機１）
図１に示すように、タッチパネル式のストレート型携帯電話機１（携帯端末）は、筐体２と、タッチスクリーン３と、レシーバ部４と、マイク部５と、スピーカ部６と、コネクタ部７と、によって構成されている。タッチスクリーン３とレシーバ部４、スピーカ部６は、筐体２の前面２ａに設けられている。マイク部５は、筐体２の底面２ｂに設けられている。コネクタ部７は、筐体２の側面２ｃに設けられている。
【００１０】
（筐体２）
図２に示すように、筐体２内には、例えばパーソナルコンピュータや充電アダプタ、ヘッドフォン、外部記憶装置、二次電池などの機器をストレート型携帯電話機１の内部基板に接続するための電気コネクタ８（電気端子）が設けられている。そして、筐体２の側面２ｃを有する筐体２の側壁２Cには、電気コネクタ８を露出させるための開口９（図３も併せて参照）が形成されている。
【００１１】
（タッチスクリーン３）
図１に示すように、タッチスクリーン３は、タッチパッドと表示パネルを組み合わせたものである。
【００１２】
（レシーバ部４）
レシーバ部４は、主として通話時に通話相手の音声を出力するためのスピーカを備えている。
【００１３】
（マイク部５）
マイク部５は、主として通話時にユーザの音声を入力するためのマイクロフォン１０と、マイクロフォン用防水キャップ１１（防水キャップ）を備えている。
【００１４】
（スピーカ部６）
スピーカ部６は、主としてユーザに対して着信を通知する着信音を出力するためのスピーカを備えている。
【００１５】
（コネクタ部７）
コネクタ部７は、図１及び図２に示すように、電気コネクタ８と、電気コネクタ用防水キャップ１２（防水キャップ）と、を有している。
【００１６】
（防水キャップ構造E）
本実施形態において、図１に示す防水キャップ構造Eは、少なくとも筐体２と電気コネクタ用防水キャップ１２を備えて構成されている。以下、この防水キャップ構造Eについて具体的に説明する。
【００１７】
（防水キャップ構造E：筐体２：図４）
図４に示すように、筐体２の側壁２Cには、開口面積が開口９の開口面積よりも大きなザグリ部１３が開口９に対して筐体２外方にオーバーラップするように形成されている。開口９の外周側には、受け面１４が形成されている。受け面１４は、側壁２Cの側面２ｃに対して平行な面である。受け面１４は、開口９の内周面９ａと、ザグリ部１３の内周面１３ａと、を接続する。従って、受け面１４は、開口９の内周面９ａに対して直交すると共に、ザグリ部１３の内周面１３ａに対しても直交する。
【００１８】
（防水キャップ構造E：電気コネクタ用防水キャップ１２：図５〜６）
図５〜６に示すように、電気コネクタ用防水キャップ１２は、防水キャップ本体１５とヒンジ１６によって構成されている。
【００１９】
防水キャップ本体１５は、図３に示すように開口９を閉塞するためのものである。防水キャップ本体１５は、図６に示すように、基部１７と、被収容部１８と、鍔部１９と、シール部材２０とによって構成されている。図６において、基部１７及び被収容部１８、鍔部１９の夫々が占める領域を二点鎖線で概ね特定している。
【００２０】
基部１７は、筐体２の側面２ｃ（図３を併せて参照）と略同一面となる基部側面１７ａを有する。
【００２１】
被収容部１８は、図３に示すように電気コネクタ用防水キャップ１２が筐体２の側壁２Cに取り付けられた防水状態で、開口９内に収容される部分である。図６に示すように、被収容部１８は、基部１７に対して筐体２内方にオーバーラップするように形成されている。被収容部１８は、外周面１８ａを有する。
【００２２】
鍔部１９は、基部側面１７ａ（又は側面２ｃ）に対して直交する方向でみたときに、被収容部１８の外周側に配置される部分である。図６の断面視において、鍔部１９は、基部１７の外周側に配置されている。この鍔部１９は、図３に示すように電気コネクタ用防水キャップ１２が筐体２の側壁２Cに取り付けられた防水状態で、側壁２Cの受け面１４によって受け止められる。そして、鍔部１９は、図３に示すように、側壁２Cの受け面１４に対して対向する被受け面１９ａと、側壁２Cの受け面１４に対して直交する外周面１９ｂを有する。
【００２３】
基部１７及び被収容部１８、鍔部１９は、射出成形により一体成形されている。基部１７及び被収容部１８、鍔部１９は、腰のあるプラスチック製である。
【００２４】
図６において、シール部材２０は、環状に形成されている。シール部材２０は、防水パッキン２１と、エラストマー部材２２とによって構成されている。防水パッキン２１とエラストマー部材２２は、図６に示す断面視でL字を成すように配置されている。防水パッキン２１とエラストマー部材２２は、一体成形されている。防水パッキン２１とエラストマー部材２２は、同一素材である。シール部材２０は、シリコーンエラストマー又はウレタンエラストマーである。好ましくは、シール部材２０はシリコーンエラストマーである。
【００２５】
防水パッキン２１は、図６に示すように、シール部材２０のうち、電気コネクタ用防水キャップ１２の防水キャップ本体１５の被収容部１８の外周面１８ａに設けられる部分である。防水パッキン２１は、環状に形成されている。防水パッキン２１は、図３に示すように電気コネクタ用防水キャップ１２が筐体２の側壁２Cに取り付けられた防水状態（即ち、被収容部１８が開口９内に収容された状態）で、内方に若干圧縮した状態で、開口９の内周面９ａに対して環状に密着する。
【００２６】
エラストマー部材２２は、図６に示すように、シール部材２０のうち、電気コネクタ用防水キャップ１２の防水キャップ本体１５の鍔部１９の被受け面１９ａに設けられる部分である。エラストマー部材２２は、環状に形成されている。エラストマー部材２２は、図３に示すように電気コネクタ用防水キャップ１２が筐体２の側壁２Cに取り付けられた防水状態（即ち、被収容部１８が開口９内に収容された状態）で、鍔部１９の厚み方向に若干圧縮した状態で、受け面１４に対して環状に密着する。
【００２７】
ヒンジ１６は、防水キャップ本体１５を筐体２から取り外した露出状態で、防水キャップ本体１５を筐体２にぶら下げておくためのものである。ヒンジ１６は、図５に示すように防水キャップ本体１５の鍔部１９に対して接続している。
【００２８】
（作動）
次に、防水キャップ構造Eの作動を説明する。ここでは、昨今のアウトドアブームに鑑み、ストレート型携帯電話機１が海岸や河川などといた携帯端末にとっては過酷な環境下で使用されることを想定する。図７には、砂や塵といった大小様々な異物ｐがストレート型携帯電話機１の側壁２Cや電気コネクタ用防水キャップ１２に付着している様子を示している。特筆すべきは、電気コネクタ用防水キャップ１２を開口９及びザグリ部１３内に収容するために鍔部１９の外周面１９ｂと、ザグリ部１３の内周面１３ａと、の間に不可避的に存在している隙間ｇに小径の異物ｐが大量に入り込んでいる点である。
【００２９】
この状態で、電気コネクタ用防水キャップ１２を筐体２から取り外すには、図８に示すように、先ず、筐体２を水洗いして、筐体２に付着した異物ｐを極力洗い落とす。このとき、上記の隙間ｇに入り込んでいる異物ｐは、実際のところ、水洗い後でも多量に残存している。
【００３０】
次に、矢印Qで示すように電気コネクタ用防水キャップ１２を筐体２から取り外す。ここで、防水キャップ構造Eの特長を比較例と対比させながら説明する。
【００３１】
（比較例）
図９及び図１０に示す比較例では、シール部材２０は、防水パッキン２１は有するがエラストマー部材２２は有していない。即ち、鍔部１９の被受け面１９ａは、エラストマー部材２２によって覆われることなく露出している。従って、図８において矢印Qで示すように電気コネクタ用防水キャップ１２を筐体２から抜き取った際に、隙間ｇ内に存在していた異物ｐが、何らかの拍子で、図９に示すように鍔部１９の被受け面１９ａに付着することがある。そして、図１０に示すように再度、電気コネクタ用防水キャップ１２を筐体２に取り付けると、図９において鍔部１９の被受け面１９ａに付着していた異物ｐが、何らかの拍子で、防水パッキン２１に対して到達し、図１０に示すように、防水パッキン２１と開口９の内周面９ａの間に噛み込まれてしまうことがある。このように防水パッキン２１と開口９の内周面９ａの間に異物ｐが噛み込まれると、防水パッキン２１が果たしていた防水機能は多かれ少なかれ損なわれてしまうことになる。
【００３２】
（本実施形態）
これに対し、本実施形態では、シール部材２０は、図６に示すように、防水パッキン２１とエラストマー部材２２を有している。即ち、鍔部１９の被受け面１９ａは、エラストマー部材２２によって覆われており露出していない。従って、図８において矢印Qで示すように電気コネクタ用防水キャップ１２を筐体２から抜き取った際に、隙間ｇ内に存在していた異物ｐが、何らかの拍子で、図１１に示すようにエラストマー部材２２に付着したとしても、エラストマー部材２２に付着した異物ｐはエラストマー部材２２から容易に剥がれ落ちることになる。なぜならば、エラストマー部材２２はシリコーンエラストマー又はウレタンエラストマーによって形成されており、シリコーンエラストマーやウレタンエラストマーは、異物ｐが付着し難い性質を有するからである。従って、図１２に示すように再度、電気コネクタ用防水キャップ１２を筐体２に取り付けた際、異物ｐが防水パッキン２１に到達することは殆どないので、図８において隙間ｇ内に残存していた異物ｐが防水パッキン２１と開口９の内周面９ａの間に噛み込まれてしまうことを抑制することができる。
【００３３】
（まとめ）
以上に本願発明の好適な実施形態を説明したが、上記実施形態は、要するに、以下の特長を有している。防水キャップ構造Eは、筐体２及び電気コネクタ用防水キャップ１２を備える。筐体２には、筐体２内に設けられた電気コネクタ８（電気端子）を露出させるための開口９が形成されている。電気コネクタ用防水キャップ１２（防水キャップ）は、開口９内に収容される被収容部１８と、被収容部１８の外周側に配置される鍔部１９と、を有する。電気コネクタ用防水キャップ１２の被収容部１８には、開口９の内周面９ａに対して密着する防水パッキン２１が設けられている。電気コネクタ用防水キャップ１２の鍔部１９には、環状に形成されたエラストマー部材２２が設けられている。エラストマー部材２２は、シリコーンエラストマー又はウレタンエラストマーである。以上の構成によれば、異物が付着し難い性質を有するシリコーンエラストマー又はウレタンエラストマーから成るエラストマー部材２２が、防水パッキン２１を取り囲うように配置されているので、電気コネクタ用防水キャップ１２を開口９に対して着脱した際に、防水パッキン２１に対して異物ｐが何らかの拍子で到達してしまうことを抑制することができる。従って、海岸や河川などといった携帯端末にとっては過酷な環境下でも、ストレート型携帯電話機１を安心して使用することができるようになる。
【００３４】
また、筐体２には、開口９の外周側で電気コネクタ用防水キャップ１２の鍔部１９を受け止める受け面１４が形成されている。エラストマー部材２２は、電気コネクタ用防水キャップ１２の鍔部１９の、受け面１４に対向する面としての被受け面１９ａに設けられている。
【００３５】
また、エラストマー部材２２は、電気コネクタ用防水キャップ１２が筐体２に取り付けられた防水状態で、受け面１４に対して環状に密着する。以上の構成によれば、エラストマー部材２２に防水機能を発揮させることができる。
【００３６】
また、防水パッキン２１とエラストマー部材２２は、同一素材である。防水パッキン２１とエラストマー部材２２は、一体成形されている。防水パッキン２１とエラストマー部材２２は、断面視でL字を成すように配置されている。防水パッキン２１は、開口９の内周面９ａに対して環状に密着する。
【００３７】
以上に、本願発明の好適な実施形態を説明したが、本実施形態は以下のように変更することができる。
【００３８】
上記実施形態では防水キャップ構造Eの適用対象として、電気コネクタ８を取り上げたが、これに代えて、イヤホンジャックや電源端子、マイクロフォンにも適用することができる。
【００３９】
また、図７において隙間ｇがシール部材２０によって充填されている構成も考えられる。この構成によれば、異物ｐが防水パッキン２１に付着することを一層効果的に抑制することができる。この場合、シール部材２０は、防水パッキン２１とエラストマー部材２２、それに隙間ｇに充填される充填部によって構成されることになる。なお、防水パッキン２１とエラストマー部材２２、充填部は、シリコーンエラストマー又はウレタンエラストマーによって一体成形すればよい。
【符号の説明】
【００４０】
１  ストレート型携帯電話機
２  筐体
１９  鍔部
２０  シール部材
２１  防水パッキン
２２  エラストマー部材
E  防水キャップ構造
【図１】
2012252794.tif 000003
【図２】
2012252794.tif 000004
【図３】
2012252794.tif 000005
【図４】
2012252794.tif 000006
【図５】
2012252794.tif 000007
【図６】
2012252794.tif 000008
【図７】
2012252794.tif 000009
【図８】
2012252794.tif 000010
【図９】
2012252794.tif 000011
【図１０】
2012252794.tif 000012
【図１１】
2012252794.tif 000013
【図１２】
2012252794.tif 000014
【図１３】
2012252794.tif 000015
【図１４】
2012252794.tif 000016